(57)【要約】【課題】棟木の固定が直接的な固定と釘やビスによる間接固定を併用することができ、棟木の固定強度が得られると共に、加工工数の低減によって部材コストの低減を図ることができる屋根役物固定金具を提供する。【解決手段】支柱２の下端両側に取付け片３、３を先端下がりの傾斜状に設けた屋根役物固定金具１において、前記支柱２が、両側で対向する対向壁５、５とこれをつなぐ接続壁６からなる断面コ字状に折り曲げ形成され、前記接続壁６の上端側に棟木を直接支持する貫通孔８と、両対向壁５、５の上端側に棟木を間接的に固定する締結具の打ち込み孔１０を設ける。【選択図】図１
2007023509.tif 000002
【特許請求の範囲】
【請求項１】
支柱の下端両側に取付け片を先端下がりの傾斜状に設け、支柱の上端側で棟木を支持するようにした屋根役物固定金具において、
前記支柱が、両側で対向する平行壁とこれをつなぐ接続壁からなる断面コ字状に折り曲げ形成され、前記接続壁の上端側に棟木を直接支持する棟木嵌合部と、両平行壁の上端側に棟木を間接的に固定する締結具の打ち込み孔を設けたことを特徴とする屋根役物固定金具。
【請求項２】
支柱の下端両側に取付け片を先端下がりの傾斜状に設け、支柱の上端側で棟木を支持するようにした屋根役物固定金具において、
前記支柱が、接続壁の両側縁に相反する方向に折れ曲がる平行壁を設けた断面形状に形成され、前記接続壁の上端側に棟木を直接支持する棟木嵌合部と、両平行壁の上端側に棟木を間接的に固定する締結具の打ち込み孔を設けたことを特徴とする屋根役物固定金具。
【請求項３】
支柱の下端両側に取付け片を先端下がりの傾斜状に設け、支柱の上端側で棟木を支持するようにした屋根役物固定金具において、
前記支柱が、仕切り壁の両側縁に相反する方向に折れ曲がる接続壁を設け、両接続壁の相反する側縁に仕切り壁と対面する側に折れ曲がる平行壁を設けた断面形状に形成され、前記両接続壁の上端側に棟木を直接支持する棟木嵌合部と、両平行壁の上端側に棟木を間接的に固定する締結具の打ち込み孔を設けたことを特徴とする屋根役物固定金具。
【請求項４】
支柱の下端両側に取付け片を先端下がりの傾斜状に設け、支柱の上端側で棟木を支持するようにした屋根役物固定金具において、
前記支柱が、仕切り壁の両側縁に相反する方向に折れ曲がる接続壁を設け、両接続壁の相反する側縁に仕切り壁と平行するよう相反する側に折れ曲がる平行壁を設けた断面形状に形成され、前記両接続壁の上端側に棟木を直接支持する棟木嵌合部と、両平行壁の上端側に棟木を間接的に固定する締結具の打ち込み孔を設けたことを特徴とする屋根役物固定金具。
【請求項５】
支柱の下端両側に取付け片を先端下がりの傾斜状に設け、支柱の上端側で棟木を支持するようにした屋根役物固定金具において、
前記支柱が、仕切り壁の両側縁に相反する方向に折れ曲がる接続壁を設け、両接続壁の相反する側縁に仕切り壁と平行するよう同一方向に向けて折れ曲がる平行壁を設けた断面形状に形成され、前記両接続壁の上端側に棟木を直接支持する棟木嵌合部と、両平行壁の上端側に棟木を間接的に固定する締結具の打ち込み孔を設けたことを特徴とする屋根役物固定金具。
【請求項６】
上記接続壁の上端側に設けた棟木嵌合部が、棟木を挿通する貫通孔か、棟木を嵌め込むために上端部が開放された開口溝によって形成されていることを特徴とする請求項１乃至５の何れかに記載の屋根役物固定金具。
【請求項７】
上記両平行壁の上端に、相反する外方へ折れ曲がる水平片を設けたことを特徴とする請求項１乃至６の何れかに記載の屋根役物固定金具。
【請求項８】
請求項１乃至７の何れかに記載の屋根役物固定金具を用い、取付け片を屋根上に固定することによって屋根役物固定金具を屋根上に配置し、接続壁に設けた棟木嵌合部に棟木を嵌めることによって屋根役物固定金具で直接支持し、この後、打ち込み孔から棟木に締結具を打ち込んで屋根役物固定金具に棟木を間接的に固定する屋根役物瓦の施工方法。
【請求項９】
請求項１乃至７の何れかに記載の屋根役物固定金具を用い、棟木に予め必要数の屋根役物固定金具を、接続壁に設けた棟木嵌合部を棟木に嵌めると共に、打ち込み孔から棟木に締結具を打ち込むことによって取付け、この屋根役物固定金具付きの棟木を屋根上に載せて屋根役物固定金具で支持し、屋根役物固定金具の取付け片を屋根に固定することによって屋根上に棟木を配置する屋根役物瓦の施工方法。
【発明の詳細な説明】
【技術分野】
【０００１】
この発明は、屋根の棟瓦等の役物瓦を施工する際に、屋根の下地等に対して棟木を固定するために用いる屋根役物固定金具と、この屋根役物固定金具を用いた屋根役物瓦の施工方法に関する。
【背景技術】
【０００２】
屋根の棟を施工する場合は、一般的に、野地板のような下地材等の上にルーフィングのようなシート材等を敷設し、棟部分の位置においてシート材等の上に複数の屋根役物固定金具を設置し、この屋根役物固定金具の上端側で棟木を水平に支持し、この棟木を固定物として棟瓦の積み重ねを行う方法が知られている。
【０００３】
上記した従来の屋根役物固定金具は、断面Ｕ字状となる支柱の対向壁における下端両側に取付け片を先端下がりの傾斜状に設け、前記対向壁の上端側に、それぞれ外方に折れ曲がってその先端が上方に屈曲するＬ形の受承片部を設け、両受承片部間に棟木を嵌め込み、受承片部と棟木をビスや釘で固定するようになっている（特許文献１参照）。
【０００４】
また、別の屋根役物固定金具としては、支柱を接続壁の両側縁に相反する方向に折れ曲がる平行壁を設けた断面形状とし、両平行壁の上端から突出する取付部に棟木を通す貫通孔を設けた構造のもの（特許文献２参照）や、両側取付け片の上に設けた棟木設置部分を角筒形や上向コ字形にしたもの（特許文献３参照）、更には、両側の支柱を対向させ、その上端側で対向面間に嵌め込んだ棟木を支柱に直接固定するもの（特許文献４参照）がある。
【特許文献１】実開昭６１−４１７１７号公報
【特許文献２】実開平６−６２０４５号公報
【特許文献３】特開２００３−２４７３０２号公報
【特許文献４】特開２００２−３５６９５５号公報
【発明の開示】
【発明が解決しようとする課題】
【０００５】
ところで、特許文献１や特許文献３の屋根役物固定金具は、棟木を固定する部分が上向きコの字形や角筒形に形成されているので、棟木の固定が、直接的な固定と釘やビスによる間接固定を併用することができるので、棟木の固定強度は得られるが、支柱の上端側に上向きコの字形や角筒形の棟木固定部分を設けるには、加工工数が増えるため、製作コストが高くつくという問題がある。
【０００６】
また、特許文献２の屋根役物固定金具は、棟木を直接支持することができるが、釘やビスによる間接的な固定を併用することができないので、棟木を支える強度について不安がある。
【０００７】
更に、特許文献４の屋根役物固定金具は、棟木の固定が釘やビスによる間接的な固定だけであり、棟木を直接支持することができないので、棟木を支える強度について不安がある。
【０００８】
そこで、この発明の課題は、棟木を固定する部分の加工工数を増やすことなく、棟木の固定が直接的な固定と釘やビス等の締結具による間接固定とを併用することができ、棟木の固定強度が得られると共に、部材コストの低減を図ることができる屋根役物固定金具と、この屋根役物固定金具を用いた屋根役物瓦の施工方法を提供することにある。
【課題を解決するための手段】
【０００９】
上記のような課題を解決するため、第１の発明は、支柱の下端両側に取付け片を先端下がりの傾斜状に設け、支柱の上端側で棟木を支持するようにした屋根役物固定金具において、前記支柱が、両側で対向する平行壁とこれをつなぐ接続壁からなる断面コ字状に折り曲げ形成され、前記接続壁の上端側に棟木を直接支持する棟木嵌合部と、両平行壁の上端側に棟木を間接的に固定する締結具の打ち込み孔を設けた構成を採用したものである。
【００１０】
第２の発明は、屋根役物固定金具の支柱が、接続壁の両側縁に相反する方向に折れ曲がる平行壁を設けた断面形状に形成され、前記接続壁の上端側に棟木を直接支持する棟木嵌合部と、両平行壁の上端側に棟木を間接的に固定する締結具の打ち込み孔を設けた構成を採用したものである。
【００１１】
第３の発明は、屋根役物固定金具の支柱が、仕切り壁の両側縁に相反する方向に折れ曲がる接続壁を設け、両接続壁の相反する側縁に仕切り壁と対面する側に折れ曲がる平行壁を設けた略Ｓの字状の断面形状に形成され、前記両接続壁の上端側に棟木を直接支持する棟木嵌合部と、両平行壁の上端側に棟木を間接的に固定する締結具の打ち込み孔を設けた構成を採用したものである。
【００１２】
第４の発明は、屋根役物固定金具の支柱が、仕切り壁の両側縁に相反する方向に折れ曲がる接続壁を設け、両接続壁の相反する側縁に仕切り壁と相反する側に折れ曲がる平行壁を設けた階段状の断面形状に形成され、前記両接続壁の上端側に棟木を直接支持する棟木嵌合部と、両平行壁の上端側に棟木を間接的に固定する締結具の打ち込み孔を設けた構成を採用したものである。
【００１３】
第５の発明は、屋根役物固定金具の支柱が、仕切り壁の両側縁に相反する方向に折れ曲がる接続壁を設け、両接続壁の相反する側縁に仕切り壁と平行するよう同一面側に向けて折れ曲がる平行壁を設けた断面形状に形成され、前記両接続壁の上端側に棟木を直接支持する棟木嵌合部と、両平行壁の上端側に棟木を間接的に固定する締結具の打ち込み孔を設けた構成を採用したものである。
【００１４】
第６の発明は、上記の各発明において、上記接続壁の上端側に設けた棟木嵌合部が、棟木を挿通する貫通孔か、棟木を嵌め込むために上端部が開放された開口溝によって形成されている構造としたものである。
【００１５】
第７の発明は、上記の各発明において、両平行壁の上端に、相反する外方へ折れ曲がる水平片を設けた構造としたものである。
【００１６】
また、第８の発明の屋根役物瓦の施工方法は、第１乃至７の発明の何れかに記載の屋根役物固定金具を用い、取付け片を屋根上に固定することによって屋根役物固定金具を屋根上に配置し、接続壁に設けた棟木嵌合部に棟木を嵌めることによって屋根役物固定金具で直接支持し、この後、打ち込み孔から棟木に締結具を打ち込んで屋根役物固定金具に棟木を間接的に固定するようにしたものである。
【００１７】
また、第９の発明の屋根役物瓦の施工方法は、第１乃至７の発明の何れかに記載の屋根役物固定金具を用い、棟木に予め必要数の屋根役物固定金具を、接続壁に設けた棟木嵌合部を棟木に嵌めると共に、打ち込み孔から棟木に締結具を打ち込むことによって取付け、この屋根役物固定金具付きの棟木を屋根上に載せて屋根役物固定金具で支持し、屋根役物固定金具の取付け片を屋根に固定することによって屋根上に棟木を配置するようにしたものである。
【００１８】
ここで、屋根役物固定金具は金属板を用いることによって形成され、支柱は耐折れ曲がり強度の優れた断面形状に折り曲げ加工し、その下端両側に設けた取付け片には、屋根に固定する釘やビス等の締結具を打ち込むための取付け孔が形成されている。
【００１９】
また、棟木嵌合部は、貫通孔の場合、棟木の断面が適合する長方形だけでなく、多角形や円形の孔でもよく、棟木は屋根を構成する棧木や垂木等の長尺部材と同一サイズとすることにより、屋根部材の統一によるコスト削減が図れることになる。
【発明の効果】
【００２０】
この発明によると、支柱を耐折れ曲がり強度の優れた断面形状に折り曲げ加工し、この支柱の上端側に棟木を直接支持する棟木嵌合部と棟木を間接的に固定する締結具の打ち込み孔を設けたので、支柱の上端側に直接棟木嵌合部と打ち込み孔を形成することで、支柱の上下全長は単一の断面形状のままでよく、支柱の上端側に複雑な形状の加工がいらないので、工数の削減による量産コストの低減が図れる。
【００２１】
また、支柱の断面形状が耐折れ曲がり強度に優れ、しかも、支柱に対する棟木の固定が、直接的な固定と釘やビス等の締結具による間接固定を併用することができるので、棟木の充分な固定強度が得られる。
【発明を実施するための最良の形態】
【００２２】
以下、この発明の実施の形態を添付図面に基づいて説明する。
【００２３】
図１と図２のように、第１の実施の形態の屋根役物固定金具１は、上下に長い支柱２の下端両側に取付け片３、３を先端下がりの傾斜状に設け、前記支柱２を、棟木４が収まる間隔を設けて両側で対向する対向壁５、５とこれをつなぐ接続壁６からなる断面コ字状に折り曲げ形成し、両対向壁５、５の上端に、相反する外方へ折れ曲がる水平片７、７を設け、前記接続壁６の上端側に、棟木４を直接支持するための棟木嵌合部である貫通孔８と、両対向壁５、５の上端側に棟木４を間接的に固定する釘やビス等の締結具９の打ち込み孔１０を設けた構造になっている。
【００２４】
上記支柱２と取付け片３、３及び水平片７、７は、一枚の金属板から折り曲げ加工し、取付け片３、３は両対向壁５、５の下端から屋根Ａの傾斜に合わせて先端下がりの傾斜状に折り曲げられ、屋根Ａに打ち込んで屋根役物固定金具１を固定する釘やビス１１の取付け孔１２が形成されている。
【００２５】
上記支柱２は断面コ字状に折り曲げ形成されているので、取付け片３、３の突出方向と、これと直角の方向の何れに対しても、耐折れ曲がり強度が優れていると共に、上端に設けた水平片７、７は、棟瓦等の役物瓦を構築する盛り土内に埋設され、支柱２の耐振れ強度を向上させることになる。
【００２６】
図３と図４に示す第２の実施の形態の屋根役物固定金具１は、上下に長い支柱２の下端両側に取付け片３、３を先端下がりの傾斜状に設け、前記支柱２を、棟木４に対応する幅を有する接続壁１３の両側縁に相反する方向へ直角に折れ曲がる平行壁１４、１４を設けた断面形状に形成し、両平行壁１４、１４の上端に、第１の実施の形態と同様、相反する外方へ折れ曲がる水平片７、７を設け、前記接続壁１３の上端側に棟木４を直接支持する貫通孔８と、両平行壁１４、１４の上端側に棟木４を間接的に固定する締結具９の打ち込み孔１０を設けた構造になっている。
【００２７】
上記支柱２と取付け片３、３及び水平片７、７は、一枚の金属板から折り曲げ加工し、取付け片３、３は両平行壁１４、１４の下端から屋根Ａの傾斜に合わせて先端下がりの傾斜状に折り曲げられ、屋根Ａに固定する釘やビス１１の取付け孔１２が形成されている。
【００２８】
上記支柱２は接続壁１３と両側の平行壁１４、１４を有する断面形状に折り曲げ形成されているので、取付け片３、３の突出方向と、これと直角の方向の何れに対しても、耐折れ曲がり強度が優れていると共に、両平行壁１４、１４は位置が異なるので、締結具９で棟木４を固定するとき、締結具９の打ち込みによる反対側への突き出しを気にせずに施工することができる。
【００２９】
図５と図６に示す第３の実施の形態の屋根役物固定金具１は、上下に長い支柱２の下端両側に取付け片３、３を先端下がりの傾斜状に設け、前記支柱２を、中央に位置する仕切り壁１５の両側縁に、相反する方向に折れ曲がり、棟木４に対応する幅を有する接続壁１６、１６を設け、両接続壁１６、１６の仕切り壁１５と相反する側縁に仕切り壁１５と対面する側に折れ曲がる平行壁１７、１７を設けた略Ｓの字状の断面形状に形成し、両平行壁１７、１７の上端に、第１の実施の形態と同様、相反する外方へ折れ曲がる水平片７、７を設け、前記両接続壁１６、１６の上端側に棟木４を直接支持する貫通孔８と、両平行壁１７、１７の上端側に棟木４を間接的に固定する締結具９の打ち込み孔１０を設けた構造になっている。
【００３０】
この第３の実施の形態の屋根役物固定金具１は、二つの接続壁１６、１６にそれぞれ貫通孔８を設けてあるので、二本の棟木４を同時に支持することができ、棟木４の接続部分での支持に適していると共に、支柱２と取付け片３、３及び水平片７、７は、一枚の金属板から折り曲げ加工し、取付け片３、３は両平行壁１７、１７の下端から屋根Ａの傾斜に合わせて先端下がりの傾斜状に折り曲げられ、屋根Ａに打ち込んで屋根役物固定金具１を固定する釘やビス１１の取付け孔１２が形成されている。
【００３１】
上記支柱２は、二組の断面略コ字形状を組み合わせた構造になっているので、取付け片３、３の突出方向と、これと直角の方向の何れに対しても、耐折れ曲がり強度が優れている。
【００３２】
図７に示す第４の実施の形態の屋根役物固定金具１は、上記第３の実施の形態の変形例であり、上下に長い支柱２の下端両側に取付け片３、３を先端下がりの傾斜状に設け、前記支柱２を、中央に位置する仕切り壁１５の両側縁に、相反する方向に折れ曲がり、棟木４に対応する幅を有する接続壁１６、１６を設け、両接続壁１６、１６の仕切り壁１５と相反する側縁に、仕切り壁１５と平行する状態で相反する外側に折れ曲がる平行壁１７、１７を設けた階段状の如き断面形状に形成し、両平行壁１７、１７の上端に、第１の実施の形態と同様、相反する外方へ折れ曲がる水平片７、７を設け、前記両接続壁１６、１６の上端側に棟木４を直接支持する貫通孔８と、両平行壁１７、１７の上端側に棟木４を間接的に固定する締結具９の打ち込み孔１０を設けた構造になっている。
【００３３】
また、図８に示す第５の実施の形態の屋根役物固定金具１は、上記第３の実施の形態の更に別の変形例であり、上下に長い支柱２の下端両側に取付け片３、３を先端下がりの傾斜状に設け、前記支柱２を、中央に位置する仕切り壁１５の両側縁に、相反する方向に折れ曲がり、棟木４に対応する幅を有する接続壁１６、１６を設け、両接続壁１６、１６の相反する側縁に、仕切り壁１５と平行する状態で同一側に向けて折れ曲がる平行壁１７、１７を設けた断面形状に形成し、両平行壁１７、１７の上端に、第１の実施の形態と同様、相反する外方へ折れ曲がる水平片７、７を設け、前記両接続壁１６、１６の上端側に棟木４を直接支持する貫通孔８と、両平行壁１７、１７の上端側に棟木４を間接的に固定する締結具９の打ち込み孔１０を設けた構造になっている。
【００３４】
上記した各実施の形態の屋根役物固定金具１において、貫通孔８は、棟木４の断面が適合する長方形だけでなく、多角形や円形の孔としたり、上下や両側等に複数を設けるようにしてもよく、また、取付け片３、３に設ける取付け孔１２も同様に形状や数を自由に選択することができる。
【００３５】
図９は、第１の実施の形態の屋根役物固定金具１において、接続壁６の上端側に棟木４を直接支持するために設けた棟木嵌合部を、棟木を嵌め込むことのできる上端部が開放された開口溝８ａによって形成した例を示している。
【００３６】
この開口溝８ａは、棟木が丁度収まる幅と深さを有する上向きコ字状に形成され、図示省略したが、第２乃至第５の各実施の形態の屋根役物固定金具１における棟木嵌合部は、貫通孔８に代えて開口溝８ａを採用するようにしてもよい。
【００３７】
ここで、棟木４は屋根Ａを構成する棧木や垂木等の長尺部材と同一サイズとすることにより、屋根構成部材の寸法と材質の統一による材料コストの削減が図れることになる。
【００３８】
更に、各実施の形態の屋根役物固定金具１は、支柱２の上端側に直接貫通孔８又は開口溝８ａと打ち込み孔１０を形成することで、支柱２は全長が単一の断面形状のままでよく、このため、支柱２の上端に複雑な形状の加工がいらないので、工数の削減による量産コストの低減が図れることになる。
【００３９】
この発明の屋根役物固定金具１は、上記のような構成であり、この屋根役物固定金具１を用いて屋根役物瓦を施工するには、棟部分の位置においてシート材等の上に屋根役物固定金具１を起立状に配置し、屋根Ａ上に重なる取付け片３、３の取付け孔１２を利用して釘やビス１１等の締結具で屋根役物固定金具１を屋根Ａに固定する。
【００４０】
各実施の形態において、支柱２をコ字形や接続壁１３の両側に相反する方向へ直角に折れ曲がる平行壁１４、１４を設けた断面形状及び二組のコ字形を組み合わせた断面形状等とすることにより、耐折れ曲がり強度の優れた断面形状になり、取付け片３、３の突出方向と、これと直角の方向の何れに対しても、振れのない起立強度を確保することができる。
【００４１】
また、支柱２の上端側に棟木４を直接支持する貫通孔８又は開口溝８ａと棟木４を釘やビス等の締結具９で間接的に固定するための打ち込み孔１０を設けたので、棟木４の固定が直接支持と間接的な固定の複合によって行え、棟木４の固定強度が向上する。
【００４２】
このようにして屋根上に複数の屋根役物固定金具１を取付け、各屋根役物固定金具１の貫通孔８又は開口溝８ａに棟木を嵌めることにより、貫通孔８又は開口溝８ａで棟木４を直接的に水平支持し、更に、各屋根役物固定金具１に設けた打ち込み孔１０から棟木４に釘やビス等の締結具９を打ち込み、屋根役物固定金具１に棟木４を釘やビス等の締結具９で間接的に固定することにより、屋根役物瓦の下地を完成する。
【００４３】
上記のように、屋根Ａの棟部に棟木４を配置した下地完成後、棟部に棟瓦等の役物瓦を棟木４と固定した状態で積み上げて施工すればよい。
【００４４】
図１０は、屋根役物瓦の施工方法の他の例を示し、各実施の形態で示した何れかの屋根役物固定金具を用い、先ず、地上等において、棟木に予め必要数の屋根役物固定金具を、接続壁に設けた貫通孔８又は開口溝８ａを棟木に嵌めると共に、打ち込み孔から棟木に締結具を打ち込むことによって取付け、次に、この屋根役物固定金具付きの棟木を吊り上げたり持ち上げることで屋根上の棟部の位置に載せ、この棟木を屋根役物固定金具で支持し、屋根役物固定金具の取付け片を屋根に固定することによって屋根上に棟木を固定配置し、屋根役物瓦の下地を完成する。
【図面の簡単な説明】
【００４５】
【図１】第１の実施の形態の屋根役物固定金具を示す斜視図
【図２】第１の実施の形態の屋根役物固定金具を屋根に固定して棟木を支持した状態を示す斜視図
【図３】第２の実施の形態の屋根役物固定金具を示す斜視図
【図４】第２の実施の形態の屋根役物固定金具を屋根に固定して棟木を支持した状態を示す斜視図
【図５】第３の実施の形態の屋根役物固定金具を示す斜視図
【図６】第３の実施の形態の屋根役物固定金具を屋根に固定して棟木を支持した状態を示す斜視図
【図７】第４の実施の形態の屋根役物固定金具を示す斜視図
【図８】第５の実施の形態の屋根役物固定金具を示す斜視図
【図９】接続壁に設ける棟木嵌合部に開口溝を採用した例を示す屋根役物固定金具の斜視図
【図１０】屋根役物固定金具を用いた屋根役物瓦の施工方法の他の例を示す斜視図
【符号の説明】
【００４６】
１        屋根役物固定金具
２        支柱
３        取付け片
４        棟木
５        対向壁
６        接続壁
７        水平片
８        貫通孔
８ａ      開口溝
９        締結具
１０      打ち込み孔
１１      ビス
１２      取付け孔
１３      接続壁
１４      平行壁
１５      仕切り壁
１６      接続壁
１７      平行壁
【図１】
2007023509.tif 000003
【図２】
2007023509.tif 000004
【図３】
2007023509.tif 000005
【図４】
2007023509.tif 000006
【図５】
2007023509.tif 000007
【図６】
2007023509.tif 000008
【図７】
2007023509.tif 000009
【図８】
2007023509.tif 000010
【図９】
2007023509.tif 000011
【図１０】
2007023509.tif 000012